(57)【要約】【課題】  映像表示装置及び映像表示装置のオフタイマ制御方法を提供する。【解決手段】  実施形態の映像表示装置は、タイマ部と、通信部と、制御部と、を具備する。タイマ部は、オフタイマで設定された期間が経過後、主電源をオフする。通信部は、通信プロトコルを適用する通話動作を行う。制御部は、前記オフタイマで設定された前記期間内に、前記通信部による前記通話動作がある場合に、前記タイマ部による前記オフタイマの期間のカウントを停止する。【選択図】図１
2015035826.tif 000002
【特許請求の範囲】
【請求項１】
オフタイマで設定された期間が経過後、主電源をオフするタイマ部と、
通信プロトコルを適用する通話動作を行う通信部と、
前記オフタイマで設定された前記期間内に、前記通信部による前記通話動作がある場合に、前記タイマ部による前記オフタイマの期間のカウントを停止する制御部と、
を具備する映像表示装置。
【請求項２】
前記制御部は、前記通信部による前記通話動作が終了した場合に、前記タイマ部による前記オフタイマの期間のカウントを継続する請求項１の映像表示装置。
【請求項３】
前記通信部が適用する通話は、ＩＰ（Internet Protocol）に準拠する請求項１または２の映像表示装置。
【請求項４】
前記タイマ部は、前記通信部による前記通話動作を除く無操作の一定期間経過時に前記主電源をオフする請求項１−３の何れか１の映像表示装置。
【請求項５】
設定された期間の経過時に主電源をオフするオフタイマ期間内に通信プロトコルを適用する通話動作がある場合に、オフタイマ期間の経過のカウントを停止するオフタイマ制御方法。
【請求項６】
通話動作が終了した場合に、オフタイマの期間の経過のカウントを継続する請求項５のオフタイマ制御方法。
【請求項７】
オフタイマは、通話動作を除く無操作の一定期間の経過を含む請求項５または６のオフタイマ制御方法。
【発明の詳細な説明】
【技術分野】
【０００１】
本発明の実施の形態は、音声出力が可能な映像表示装置、及び映像表示装置が含む通信機器のオフタイマ制御方法に関する。
【背景技術】
【０００２】
インターネット網の普及に伴い、テレビジョン受信装置（ＴＶ装置）においても、番組すなわちコンテンツを、インターネット網を経由して、取得（受信）できる。
【０００３】
また、インターネット網においては、ＩＰ（Internet Protocol）を用いる音声通信あるいは映像、特に動画が付属する通信すなわちＩＰ電話の利用が可能である。
【先行技術文献】
【特許文献】
【０００４】
【特許文献１】特開２００９−６０２０６号公報
【発明の概要】
【発明が解決しようとする課題】
【０００５】
ＴＶ装置は、無操作時間が一定期間継続した場合、電源をオフするオフタイマを含む。
【０００６】
しかしながら、無操作時間は、ＩＰ電話の着信及び送信を想定していない。
【０００７】
本発明の目的は、音声出力が可能な映像表示装置、及び映像表示装置が含む通信機器のオフタイマ制御方法を提供することである。
【課題を解決するための手段】
【０００８】
実施形態の映像表示装置は、タイマ部と、通信部と、制御部と、を具備する。タイマ部は、オフタイマで設定された期間が経過後、主電源をオフする。通信部は、通信プロトコルを適用する通話動作を行う。制御部は、前記オフタイマで設定された前記期間内に、前記通信部による前記通話動作がある場合に、前記タイマ部による前記オフタイマの期間のカウントを停止する。
【図面の簡単な説明】
【０００９】
【図１】実施形態の一例を示す概略図。
【図２】実施形態の一例を示す概略図。
【図３】実施形態の一例を示す概略図。
【図４】実施形態の一例を示す概略図。
【図５】実施形態の一例を示す概略図。
【図６】実施形態の一例を示す概略図。
【図７】実施形態の一例を示す概略図。
【図８】実施形態の一例を示す概略図。
【発明を実施するための形態】
【００１０】
以下、実施の形態について図面を参照して説明する。
【００１１】
図１は、実施形態を適用する映像表示装置と同映像表示装置に組み込まれる通信装置の一例を示す。なお、以下に説明する要素や構成あるいは機能は、ハードウエアで実現するものであってもよいし、マイクロコンピュータ（処理装置、ＣＰＵ）等、を用いてソフトウエアで実現するものであってもよい。
【００１２】
図１が示す映像表示装置１は、例えばテレビジョン放送を受信して音声（オーディオ）及び映像（ビデオ）を再生するテレビジョン受信装置（以下ＴＶ装置と称する）を含む。
【００１３】
ＴＶ装置（映像表示装置）１は、少なくともデジタル放送の番組すなわちコンテンツを受信し、再生できる。なお、ＴＶ装置１は、インターネット（ネットワーク）網１００を通じて供給されるコンテンツの受信が可能である。また、ＴＶ装置１は、インターネット網１００を通じて接続される任意の接続相手先との間で、ＩＰ（Internet Protocol）を用いる音声通信が可能なＩＰ電話の利用が可能である。
【００１４】
ＴＶ装置１において、コンテンツ（番組）を受信するチューナ部１１が受信したコンテンツは、分離（Ｄｅｍｕｘ）部１２により、映像（ビデオ）データと音声（オーディオ）データとに分離される。
【００１５】
分離部１２が分離した映像（ビデオ）データは、映像（ビデオ）処理ブロック２１の映像（ビデオ）デコーダ２２によりデコードされ、デジタル映像（ビデオ）信号として出力される。
【００１６】
映像デコーダ２２がデコードした映像（ビデオ）データは、映像出力装置を表示可能に処理する映像（ビデオ）処理部２３に入力され、後段のディスプレイ２４が表示可能に、所定の解像度及び出力方式、例えばインターレース（ｉ）／ノンインターレース（ｐ）等に変換され、ディスプレイ２４に供給される。なお、映像（ビデオ）処理部２３の出力は、例えば外部モニタ装置あるいは投影装置（プロジェクタ装置）等が接続可能な、出力端２５に出力されてもよい。
【００１７】
分離部１２が分離した音声データは、音声（オーディオ）処理ブロック３１の音声（オーディオ）デコーダ３２によりデコードされ、デジタル音声（オーディオ）信号として出力される。
【００１８】
音声デコーダ３２がデコードした音声（オーディオ）信号は、音声出力装置が再生可能に処理する音声（オーディオ）処理部３３と、音声（オーディオ）処理部３３の出力に、映像（ビデオ）処理部２３が出力する映像信号との間の時間的な整合のために、所定時間の遅延を与える（音声（オーディオ）出力を遅延させる）遅延部３４を通過し、アナログの音声（オーディオ）出力を得るＤ−Ａコンバータ３５に入力される。
【００１９】
Ｄ−Ａコンバータ３５からのアナログの音声（オーディオ）出力は、例えばスピーカ３６に入力される。なお、Ｄ−Ａコンバータ３５からの出力は、ＡＶ（Audio Visual）アンプ等が接続可能な出力端３７に、さらに分岐されてもよい。
【００２０】
また、遅延部３４により所定時間の遅延が与えられた音声（オーディオ）信号は、ＩＰ電話制御部４１にも分岐される。ＩＰ電話制御部４１は、例えば音声入力部（マイクロフォン）４２と音声再生部（イヤホンまたは低出力の音声再生向けスピーカ）４３とを含む通信セット４４の接続が可能で、音声入力部４２からの入力をＡ−Ｄ変換するＡ−Ｄ変換部４５と音声再生部への出力をＤ−Ａ変換するＤ−Ａ変換部４６とを含む。なお、音声再生部への出力をＤ−Ａ変換するＤ−Ａ変換部４６は、音声（オーディオ）処理ブロック３１のＤ−Ａコンバータ３５と共用される。
【００２１】
ＩＰ電話制御部４１は、ユーザの顔の画像等を取得するカメラ４７及びカメラ映像処理部４８を伴うことができる。また、ＩＰ電話制御部４１は、通信相手先から送信された画像を再生する画像処理部４９を伴うことができる。
【００２２】
画像処理部４９は、例えばＪＰＥＧ（Joint Photographic Experts Group）に代表される静止画や、例えばＭＰＥＧ（Moving Picture Experts Group）−２，−４（Ｈ．２６４−ＡＶＣ）に代表される動画を再生できる。なお、動画を再生する画像処理部４９は、映像（ビデオ）処理ブロック２１の映像（ビデオ）処理部２３と共用される。
【００２３】
ＴＶ装置（映像表示装置）１において、チューナ部１１、分離部１２、映像（ビデオ）処理ブロック２１、音声（オーディオ）処理ブロック３１及びＩＰ電話制御部４１のそれぞれは、主制御ブロック５１により制御され、所定の動作を実行する。
【００２４】
主制御ブロック（Main Processing Unit，ＭＰＵ）５１は、例えばＣＰＵ（Central Processing Unit，演算装置）あるいはマイクロコンピュータを含む。ＭＰＵ５１は、動作プログラムを保持したＲＯＭ及びワークメモリとして機能するＲＡＭを少なくとも含むメモリユニット５２、インターネット網を通じたＩＰ電話制御部４１に対する外部からの着信あるいはＩＰ電話制御部４１からの外部への送信を管理する状態管理部５３、ディスプレイ２４に表示するＧＵＩ（Graphical User Interface，グラフィカルユーザインタフェース）の表示及びＧＵＩからのユーザ入力を処理するＧＵＩ制御部５４及びインターネット網１００との間の接続、すなわちインターネット網からのさまざまな情報の取得及びインターネット網１００へのユーザからのアクセス等を制御するネットワーク制御部５５、等を少なくとも含む。
【００２５】
ＭＰＵ５１にはまた、ユーザからの制御入力を受け付ける操作入力部３が接続される。
【００２６】
操作入力部３は、例えばチューナ（入力）部１１が選択するチャンネルを特定するためのチャンネルキー（ボタン）や電源のオン／オフに用いる電源スイッチあるいはリモートコントローラ５からの指示や制御入力を受け付ける受信部、等を少なくとも含む。また、文字や記号あるいは数字等の入力を可能とするキー操作入力部（キーボード）等、が接続されてもよい。
【００２７】
なお、ＩＰ電話制御部４１は、ＭＰＵ５１のファームウエア、あるいは予め用意されたプログラムに従い動作するＩＰ電話プログラム、例えばＳｋｙｐｅ社が提供するインターネット電話である「Ｓｋｙｐｅ」等、に準じ、通信セット４４のマイクロフォン４２により取得するユーザの音声をパケット化し、ネットワーク（インターネット網）を介して接続された通信相手先に送信できる。もちろん、カメラ４７が用意されている場合、ユーザの映像を送信できる。
【００２８】
ＭＰＵ５１内部に、またはＭＰＵ５１と独立して、タイマＩＣ（タイマコントローラ）６１が設けられる。タイマＩＣ６１は、時刻や、ユーザからの入力により設定される予約録画のための予約時刻（日時）と録画対象チャンネル等の情報を管理するとともに、その情報を保持可能である。なお、タイマＩＣ６１は、チューナ１１を介して受信するデジタル放送におけるＴＯＴ（Time Offset Table）と呼ばれる「時刻情報」を、常時取得できる。すなわち、電波時計を内蔵している機器と同等の時刻管理が可能である。また、タイマＩＣ６１は、予め設定された、あるいはオフタイマ等の機能において所定の時刻において、商用電源に対する電源のオン／オフ（通電）を制御できることはいうまでもない。
【００２９】
すなわち、タイマＩＣ６１は、コンセントが抜かれている等の物理的に通電が困難な状況下以外においては、ディスプレイ２４やスピーカ３６へのオーディオ出力等の電力消費の比較的大きな要素を除く、ＭＰＵ５１等への２次電源（ＤＣ（直流）３１Ｖ、あるいは２４Ｖもしくは５Ｖ等）は、通常確保されており、予め規定された時刻にディスプレイ２４、映像（ビデオ）処理ブロック２１あるいは音声（オーディオ）処理ブロック３１等を起動できる。また、タイマＩＣ６１は、オフタイマが設定されている場合、オフタイマで設定された期間が経過後、主電源をオフできる。
【００３０】
ＴＶ装置１により番組（コンテンツ）を視聴中に、インターネット網１００を経由してＩＰ通話の着信があった場合、図５に示す視聴中の番組の「映像表示」５０１中の任意の位置、図５の例は、右上の例、に、ＧＵＩ制御部５４の制御により「着信表示」５１１が表示される。
【００３１】
「着信表示」５１１は、例えば着信があることを表示する「着信表示」５１２、送信元すなわち相手先を表示する「相手先表示」５１３、応答の方法を示す「応答表示＜１＞」５１４、「応答表示＜２＞」５１５、及び「応答表示＜３＞」５１６、等を含む。なお、「応答表示＜１＞」５１４は、映像付の着信応答を、「応答表示＜２＞」５１５は、音声のみの着信応答を、及び「応答表示＜３＞」は、応答せず、を、それぞれ示す。従って、視聴者は、例えばリモコン５によるカーソル移動あるいはフォーカスにより、いずれかの応答の方法を選択し、応答または応答せず、を選択できる。
【００３２】
図２に、放送視聴中にＩＰ通話の着信があり、ユーザが通話を選択する場合の表示画面の切り替えと、オフタイマ制御の一例を説明する。
【００３３】
放送視聴中［２０１］に、通話の着信［２０２］があると、図５により説明した「着信表示」５１２が、「映像表示」５０１中に、表示される［２０３］。
【００３４】
ユーザが、図５により説明した「応答表示＜１＞」、すなわち映像付の着信応答を選択した場合［２０４−ＹＥＳ］、音声（オーディオ）処理ブロック３１の音声（オーディオ）デコーダ３２の出力に、一時的に音量を「０」とするミュートがかけられる［２０５］。このとき、ＩＰ通話の終了時に、音声（オーディオ）出力を、元の視聴時の環境に復帰するために用いる情報として、音響設定条件が一時的にメモリユニット５２のＲＡＭあるいはＭＰＵ（マイクロコンピュータ）５１のファームウエアに、保存される［２０６］。
【００３５】
次に、例えばＭＰＵ５１のファームウエアにより、『通話中フラグ』がオンされる［２０７］。このとき、『通話中フラグ』のオンに合わせ、あるいは『通話中フラグ』のオンから所定のタイミングで、『電源「断」待ちフラグ』がオフされ、またはタイマＩＣ６１によるオフタイマのカウントがオフされることが好ましい［２０８］。
【００３６】
続いて、ディスプレイ２４が表示する表示画面が、図６に示す「通話画面」６０１に切り替えられる［２０９］。「通話画面」６０１は、例えばＩＰ通話モードが起動していることを示す「モード表示」６１１、着信（通話待機）中であることを示す「着信中表示」６１２、「電話帳（相手先リスト）表示」６１３〜６１７、カメラの動作等を示す「動作表示」６１８、相手先と自身の顔の映像を表示する「映像表示」６１９、６２０等を含む。
【００３７】
続いて、「通話画面」６０１の表示と同時、あるいは所定のタイミングで、通話用音響設定、例えば自身が送信する送信音声のレベル（マイクロフォン４２の感度）、相手先音声の再生レベル（イヤホン４３への出力強度）等の設定が実施される［２１０］。
【００３８】
以下、ミュートが解除［２１１］され、通話準備が終了し、通話（送信と受信）が可能となる［２１２］。
【００３９】
通話が終了すると、図３に示すように、通話終了［３１１］がチェックされ、『通話中フラグ』がオフされる［３１２］。続いて、『電源「断」待ち』フラグがオンであることが検出され［３１３−ＹＥＳ］、電源「断」（主電源オフ）の処理によりＴＶ装置１の主電源がオフし、または電源「断」ｘ秒前に有効となるオフタイマが設定され［３１４］、『電源「断」待ちモード』が起動する［３１５］。
【００４０】
これにより、オフタイマが設定されていない場合には、通話終了に続いて所定のタイミングでＴＶ装置１の主電源がオフされる。一方、オフタイマが設定されている場合には、通話開始前に設定されていたオフタイマのカウントが継続し、オフタイマが計測する所定時間経過後に、ＴＶ装置の主電源がオフする。
【００４１】
なお、図４に示すように、タイマＩＣ６１によるオフタイマのカウントを継続している場合は、オフタイマ時間に到達した時点［４０１］において、『通話フラグ』がオンであるかいなかを検出［４０２］し、『通話フラグ』がオフである場合［４０２−ＮＯ］は、電源オフ処理［４０４］を実行するが、『通話フラグ』がオンである場合［４０２−ＹＥＳ］は、『電源「断」待ちフラグ』をオンとして、タイマＩＣ６１によるオフタイマ期間の経過をカウントすることもできる［４０３］。
【００４２】
図８は、『電源「断」待ち』フラグを用いる場合、タイマＩＣ６１によるオフタイマ期間の経過すなわちオフタイマのオン／オフの一例を示す。
【００４３】
タイマＩＣ６１によるオフタイマが設定され、例えば無操作あるいはユーザによる設定に従い、オフタイマが起動している（オフタイマが所定期間をカウント中である）状態において、ＩＰ通話を受信し、あるいはＩＰ通話による送信が開始すると、例えばＭＰＵ５１のファームウエアとして、ＩＰ通話ＧＵＩ（Graphical User Interface）アプリケーション８０１が起動する。
【００４４】
ＩＰ通話ＧＵＩアプリケーション８０１は、オフタイマのカウントを継続する／中断するために、ＴＶ装置１の動作を監視する中間処理層８１１を含み、同アプリケーションが起動すると、中間処理層８１１内のコーデックエンジンスレッド（Codec Engine Thread，ＣＥＴ）８１２、入出力インタフェーススレッド（Input Output Interface Thread，Ｉ／Ｏ−Ｉ−Ｔ）８１３、アイドルスレッドオフタイマコントロール（Idle Thread Off Timer Control，Ｉ−Ｔ−ＯＴ）８１４を用い、Ｉ−Ｔ−ＯＴ８１４が、他の２つのスレッドが働かないときのみ、アクティブとなるよう設定されている。
【００４５】
すなわち、Ｉ−Ｔ−ＯＴ８１４は、アクティブ時のみ、タイマＩＣ６１によるオフタイマのカウントを継続（タイマカウントを加算）し、非アクティブ時は、オフタイマをリセットする。従って、オフタイマが起動している間に、ＩＰ通話の起動すなわちＩＰ通話の着信または送信がある場合、オフタイマがリセットされ、ＩＰ通話が終了するタイミングで、オフタイマのカウントが再スタートされることになる。なお、ＣＥＴ８１２は、映像（ビデオ）あるいは音声（オーディオ）の再生または記録の要求がある場合、起動し、Ｉ／Ｏ−Ｉ−Ｔ８１３は、チューナ１１による任意チャンネルの番組（コンテンツ）の受信あるいは外部入力の開始、またはディスプレイ２４への映像信号の出力要求／スピーカ３６への音声（オーディオ）信号の出力要求等に応じて、起動することはいうまでもない。
【００４６】
以上のように、中間処理層８１１内において、オフタイマの起動（カウント開始）／リセット（カウント中止及びカウントリセット）を監視するＩ−Ｔ−ＯＴ８１４を用いて、アクティブ時のみ、タイマＩＣ６１によるオフタイマのカウントを継続（タイマカウントを加算）することで、オフタイマ起動中において、ＩＰ通話の起動すなわちＩＰ通話の着信または送信がある場合、オフタイマのカウントを中止し、リセットできる。
【００４７】
なお、上述した中間処理層８１１によるＩＰ通話の起動の有無、あるいはオフタイマのカウントに従い、プラットフォーム（Platform，例えばＭＰＵ５１）８２１が制御され、ＨＷ（HardWare，例えばタイマＩＣ６１）８３１が所定の動作を行うことになる。
【００４８】
以上説明した通り、本提案により、ＩＰ通話が可能なデジタルＴＶ装置において、ＩＰ通話の着信あるいは送信時において、ＴＶ装置におけるオフタイマ（タイマＩＣ等による無操作時の一定期間経過時の主電源オフ）機能により、ユーザの意図しないタイミングでディスプレイ及び音声処理部等のＴＶ装置の電源がオフされ、ＩＰ通話が遮断されることが防止できる。従って、ＩＰ通話時の利便性が向上する。
【００４９】
また、オフタイマが設定されている場合には、ＩＰ通話が終了した時点で、オフタイマが再び起動するため、オフタイマによるＴＶ装置の主電源をオフする機能が継続する。従って、ＩＰ通話中にユーザが眠ってしまう等の無操作（非通話時）が継続した場合、ＴＶ装置の電源は、オフタイマの設定に従って、所定期間経過後にオフされる。従って、ＩＰ通話時を利用するユーザに不利益が生じることもない。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる
。
【符号の説明】
【００５１】
１…テレビジョン受信装置（ＴＶ装置）、３…操作入力部、２１…映像（ビデオ）処理ブロック、２２…映像デコーダ、２３（４９）…映像（ビデオ）処理部、３１…音声（オーディオ）処理ブロック、３２…音声デコーダ、３３…音声（オーディオ）処理部、３４…遅延部、３５（４６）…Ｄ−Ａコンバータ、４１…ＩＰ電話制御部、４２…音声入力部、４３…音声再生部、４７…カメラ、４８…カメラ映像処理部、５１…主制御ブロック、５２…メモリユニット、５３…状態制御部、５４…ＧＵＩ制御部、５５…ネットワーク制御部、６１…タイマＩＣ
【図１】
2015035826.tif 000003
【図２】
2015035826.tif 000004
【図３】
2015035826.tif 000005
【図４】
2015035826.tif 000006
【図５】
2015035826.tif 000007
【図６】
2015035826.tif 000008
【図７】
2015035826.tif 000009
【図８】
2015035826.tif 000010